(57)【要約】【課題】  低コストで施工でき、充分な防水対策を施した床下収納空間を提案する。【解決手段】  地盤強化体１１で周囲側方を囲まれ、住宅の床下から地下にかけて形成された床下収納空間１０であって、地盤強化体１１の外側面に沿いつつ所定高さで該地盤強化体１１を内側へ横断し、さらに該地盤強化体１１の内側面に沿って第一の遮水膜２０が配置され、地盤強化体１１の内側面に沿いつつ所定高さで第一の遮水膜２０とともに立ち上がるように第二の遮水膜３０が配置され、地盤強化体１１を横断する第一の遮水膜２０を覆う横断部４１と、第二の遮水膜３０とともに立ち上がる第一の遮水膜２０の外側面を覆う立上部４２とからなる第三の遮水膜４０が配置されている。【選択図】      図２
2005232825.tif 000002
【特許請求の範囲】
【請求項１】
地盤強化体で周囲側方を囲まれ、住宅の床下から地下にかけて形成された床下収納空間であって、
前記地盤強化体の外側面に沿いつつ所定高さで該地盤強化体を内側へ横断し、さらに該地盤強化体の内側面に沿って第一の遮水膜が配置され、
前記地盤強化体の内側面に沿いつつ所定高さで前記第一の遮水膜とともに立ち上がるように第二の遮水膜が配置され、
前記地盤強化体を横断する前記第一の遮水膜の上面を覆う横断部と前記第二の遮水膜とともに立ち上がる第一の遮水膜の外側面を覆う立上部とからなる第三の遮水膜が配置されている、
ことを特徴とする床下収納空間。
【請求項２】
前記地盤強化体が平面視多角形の連続環状に形成され、
前記第三の遮水膜が、前記地盤強化体の各隅部及びその周辺の前記第一の遮水膜を覆う、
ことを特徴とする請求項１に記載の床下収納空間。
【請求項３】
地盤強化体で周囲側方を囲まれ、住宅の床下から地下にかけて形成された床下収納空間であって、
前記地盤強化体の外側面に沿って第一の遮水膜が配置され、
前記地盤強化体の内側面に沿って第二の遮水膜が配置され、
前記第二の遮水膜の外側面に沿う立上部と前記第一の遮水膜の外側面に沿う立下部とこれらをつなぐように前記地盤強化体を所定高さで横断する横断部とからなる第三の遮水膜が配置されている、
ことを特徴とする床下収納空間。
【発明の詳細な説明】
【技術分野】
【０００１】
本発明は、住宅の床下から地下にかけて形成される床下収納空間に関し、特に、低コストで防水性の高い床下収納空間に関する。
【背景技術】
【０００２】
都市部の住宅では、収納率が不足しがちであるため、小屋裏や中間階（中二階や、一階の天井と二階の床との間）を利用した収納スペースが形成されることが多い。ところが、このような小屋裏や中間階を利用した収納スペースは住宅の上部に位置するので、特に重量物の出し入れが大変であり、また、火災や地震等の災害時に収納物の焼失、損壊等の被害を受けやすいという欠点がある。
【０００３】
一方、地下室は、住宅の下部に位置するので、重量物であっても出し入れが比較的容易で、収納物が焼失、損壊しにくく、さらに温湿度等の収納環境が安定しているという利点があるが、地盤掘削や躯体構築のためのコストが高いという欠点がある。
【０００４】
この点、特許文献１に開示された床下収納室は、掘削形状を工夫して掘削容積をできるだけ小さくしたものであり、比較的低コストで施工可能となっている。
【特許文献１】登録実用新案第３０６９４４１号公報（段落０００４−００１４，図３）
【発明の開示】
【発明が解決しようとする課題】
【０００５】
しかしながら、特許文献１に開示された床下収納室は、躯体構築のために、配筋、型枠建込、コンクリート打設、養生、型枠解体、埋め戻し等の煩雑な工程を経るので、依然としてコストや手間が嵩み、また、防水対策が不十分で漏水のおそれがあるという問題がある。
【０００６】
本発明は、かかる事情に鑑みてなされたものであり、その目的とするところは、低コストで施工でき、しかも充分な防水対策が施された床下収納空間を提案する点にある。
【課題を解決するための手段】
【０００７】
すなわち、請求項１に係る発明は、地盤強化体で周囲側方を囲まれ、住宅の床下から地下にかけて形成された床下収納空間であって、前記地盤強化体の外側面に沿いつつ所定高さで該地盤強化体を内側へ横断し、さらに該地盤強化体の内側面に沿って第一の遮水膜が配置され、前記地盤強化体の内側面に沿いつつ所定高さで前記第一の遮水膜とともに立ち上がるように第二の遮水膜が配置され、前記地盤強化体を横断する前記第一の遮水膜の上面を覆う横断部と前記第二の遮水膜とともに立ち上がる第一の遮水膜の外側面を覆う立上部とからなる第三の遮水膜が配置されている、ことを特徴とする。
【０００８】
かかる床下収納空間は、周囲側方を取り囲む地盤強化体で土圧に対抗する構造であるので、鉄筋コンクリート等の躯体で土圧に対抗する従来の地下室に比べて、大幅に低いコストで施工可能である。ここで「地盤強化体」とは、地盤自体に手を加えることによりその強度を高めたものの総称であり、具体的には、薬液等によって土壌の置換、固結、補強等を行った「地盤改良体」や、通常よりも径の大きな（１５０ｍｍ程度）玉石や砕石を含んだ「ラップルコンクリート（粗石コンクリート）」等が挙げられる。
【０００９】
また、地盤強化体の外側面の第一の遮水膜と内側面の第二の遮水膜とで二重の防水処置が施されていて、外側に配置された第一の遮水膜が、地下水を早期にブロックして下方へ落とすので、激しい降雨等によって周辺地盤が大量の水を含んだときであっても、床下収納空間内への漏水を確実に防止することができる。また第二の遮水膜は、地盤強化体中の水分あるいはここに浸入した水が床下収納空間内に入ってこないように遮断する防水・防湿機能、地盤強化体から発生する臭い（特にセメント臭）を遮断する防臭機能、地盤強化体が湿潤状態を保持して硬化できるように地盤強化体を乾燥から避ける養生機能を発揮する。なお、「遮水膜」は、水の通過を遮断する機能を果たす薄い膜状物の総称であり、防水シートや遮水フィルム等を挙げることができる。
なお、本発明における「基礎」は構造的に布基礎であることを要するが、このような布基礎のベース部分を連続させたいわゆるフルベース基礎も含まれる。
【００１０】
また、第一の遮水膜を地盤強化体の外側面に沿ってそのまま立ち上げるのではなく、所定高さで地盤強化体を外側から内側に横断して、さらに該地盤強化体の内側面に沿って第二の遮水膜とともに立ち上げるようにすれば、第一の遮水膜が基礎に埋設する複雑な納まりを避けることができる。
なお、このような理由から、第一の遮水膜が地盤強化体を横断する高さは、比較的高い位置（たとえば基礎の底面から３０ｃｍ程度下）であることが望ましい。
また、第一の遮水膜は、上に行くほどすぼまっていく形状に配置しようとすると、必然的に上半分を部分的に切除して納めなければならなくなり、この切除部から漏水する恐れがあるところ、第一の遮水膜の横断部の上面と、第二の遮水膜とともに立ち上がる第一の遮水膜の外側面と、にそれぞれ沿うように第三の遮水膜の横断部と立上部を配置することにより、第一の遮水膜の切除部から地盤強化体内への水の浸入を確実に防止することができる。
なお、第一の遮水膜の横断部は、内側から外側に向かって徐々に低くなるように形成されていることが望ましい。これにより、第一の遮水膜の横断部の上面に水が溜まらないので、地盤強化体に水が浸入する可能性をさらに小さくすることができる。
【００１１】
請求項２に係る発明は、請求項１に記載の床下収納空間において、前記地盤強化体が平面視多角形の連続環状に形成され、前記第三の遮水膜が、前記地盤強化体の各隅部及びその周辺の前記第一の遮水膜を覆う、ことを特徴とする。
【００１２】
地盤強化体が平面視多角形の連続環状に形成されると、特に、その隅部近傍で地盤強化体を横断する第一の遮水膜にシワや折れが生じ、当該部分を切除して納める必要があるが、前記第三の遮水膜が当該部分を覆うように配置されるので、地盤強化体内への水の浸入を確実に防止することができる。
【００１３】
請求項３に係る発明は、地盤強化体で周囲側方を囲まれ、住宅の床下から地下にかけて形成された床下収納空間であって、前記地盤強化体の外側面に沿って第一の遮水膜が配置され、前記地盤強化体の内側面に沿って第二の遮水膜が配置され、前記第二の遮水膜の外側面に沿う立上部と、前記第一の遮水膜の外側面に沿う立下部と、これらをつなぐように前記地盤強化体を所定高さで横断する横断部とからなる第三の遮水膜が配置されている、ことを特徴とする。
【００１４】
かかる床下収納空間は、周囲側方を取り囲む地盤強化体で土圧に対抗する構造であるので、鉄筋コンクリート等の躯体で土圧に対抗する従来の地下室に比べて、大幅に低いコストで施工可能である。
また、地盤強化体の外側面の第一の遮水膜と内側面の第二の遮水膜とで二重の防水処置が施されていて、外側に配置された第一の遮水膜が、地下水を早期にブロックして下方へ落とすので、激しい降雨等によって周辺地盤が大量の水を含んだときであっても、床下収納空間内への漏水を確実に防止することができる。また第二の遮水膜は、地盤強化体中の水分あるいはここに浸入した水が床下収納空間内に入ってこないように遮断する防水・防湿機能、地盤強化体から発生する臭いを遮断する防臭機能、地盤強化体が湿潤状態を保持して硬化できるように地盤強化体を乾燥から避ける養生機能を発揮する。
【００１５】
また、第一の遮水膜は、地盤強化体の外側面に沿って所定高さまでそのまま立ち上げるので、部分的な切除が不要となり施工が容易である。第三の遮水膜は、地盤強化体の外側面に沿う第一の遮水膜の上端部周辺を立下部で覆い、地盤強化体を横断部により外側から内側に横断し、第二の遮水膜の外側面を立上部により覆うように配置されるので、地盤強化体内への漏水を確実に防止することができる。
さらに、第一の遮水膜の横断部の上面は、内側から外側に向かって徐々に低くなるように形成されていることが望ましい。これにより、第一の遮水膜の横断部の上面に水が溜まらないので、地盤強化体に水が浸入する可能性をさらに小さくすることができる。
【発明の効果】
【００１６】
本発明に係る床下収納空間は、周囲側方を取り囲む地盤強化体で土圧に対抗する構造であるので、鉄筋コンクリート等の躯体で土圧に対抗する従来の地下室に比べて、極めて低いコストで施工可能である。また、地盤強化体の外側面の第一の遮水膜と内側面の第二の遮水膜とで二重の防水処置が施されつつ、第三の遮水膜で第一の遮水膜に生じたシワや切除部を覆った防水処置が施されるので、激しい降雨等があっても床下収納空間内への漏水を確実に防止することができる。
また、第三の遮水膜は、地盤強化体の外側面に沿う第一の遮水膜の上端部周辺を立下部で覆い、地盤強化体を横断部により外側から内側に横断し、第二の遮水膜の外側面を立上部により覆うように配置されるので、地盤強化体内への漏水を確実に防止することができる。
【発明を実施するための最良の形態】
【００１７】
以下、添付図面を参照して、本発明の実施の形態を詳細に説明する。なお、説明において、同一要素には同一符号を用い、重複する説明は省略する。なお、地盤強化体１１が平面視において矩形形状となっている場合について説明する。
【００１８】
図１は本発明に係る床下収納空間の一実施形態を表す斜視図であり、図２は図１の縦断面図である。これらの図に示すように床下収納空間１０は、地盤Ｇを掘削することにより、住宅の一階の床下から地下にかけての高さ領域と、周囲側方を地盤強化体１１で囲まれた平面領域に形成されている。地盤強化体１１は、平面視矩形形状であって連続環状に形成された壁状体であり、望ましくは少なくとも一部が住宅の基礎Ｂの下方に位置し、基礎Ｂを下から支持するものである。地盤強化体１１は、地盤Ｇ自体に手を加えることによりその強度を高めたものであり、具体的には、薬液等によって土壌の置換、固結、補強等を行った地盤改良体や、通常よりも径の大きな玉石や砕石を含んだラップルコンクリート（粗石コンクリート）等である。このように床下収納空間１０は、地盤強化体１１で土圧や鉛直荷重に対抗する構造であるので、ＲＣ躯体で構築される地下室に比べて極めて低いコストで施工可能である。なお、床下収納空間１０は、基礎Ｂの真下の地盤強化体１１の下端辺（図２における点Ｐ１）から地盤Ｇのせん断抵抗角φで延びるせん断面Ｓの上方に位置するように形成されているので、掘削中に掘削面が崩壊したり完成後に基礎Ｂが沈下したりすることがなく、構造的に安定している。
【００１９】
床下収納空間１０は、床面１２、壁面１３、天井面１４、排水ピット１５、展示台１６、梯子１７等を備えている。
床面１２は、ここでは地盤強化体１１′の上にモルタルで仕上を施して形成されている。床面１２の略中央部には排水ピット１５が形成されており、この排水ピット１５には蓋１５ａが被せられている。蓋１５ａは着脱自在であり、その上面は床面１２と同一高さとなっている。
壁面１３は地盤強化体１１の内側面や基礎Ｂの内側面に適宜の仕上を施したものである。仕上としては、化粧パネル貼りやモルタル塗り、メッシュシート貼り等が好適である。
天井面１４は、住宅の一階の床躯体Ｆの下面に適宜の仕上（ここでは防水石膏ボード）を施したものである。床躯体Ｆには、住宅の一階から床下収納空間１０内に出入りするための開閉自在な出入口Ｆａが形成されている。床面１２から天井面１４までの高さは１４
００ｍｍ以内であることが望ましく、蓋１５ａを取り外した排水ピット１５の底面から天井面１４までの高さは１７００ｍｍ程度であることが望ましい。
展示台１６は、その上に様々な物を展示、陳列するための台であって、地盤改良体やコンクリート、ＣＢ等を用いて、床面１２と壁面１３とが交差する入隅部に沿って高さ３００ｍｍ程度、奥行き４５０ｍｍ程度に形成されている。
梯子１７は出入口Ｆａと床面１２とを結ぶように取り外し自在に設置されている。
【００２０】
また、地盤強化体１１には、第一の遮水膜２０と、第二の遮水膜３０と、第三の遮水膜４０とが後述するように配置されている。
第一の遮水膜２０は、上側が開口する袋状に形成されており、その底部には水抜穴ｈが設けられている。この第一の遮水膜２０は、地盤強化体１１，１１´の底面にも敷き込まれ、外側下端辺Ｐ３，Ｐ３からそれぞれ地盤強化体１１の外側面に沿って立ち上り、途中の高さ（所定高さ）位置Ｐ４で外側から内側に向かって略水平に（水勾配を考慮して内側から外側に向かって徐々に低くなるように）地盤強化体１１を厚さ方向に横断して高さ位置Ｐ５に至り、さらに地盤強化体１１の内側面に沿って立ち上がって、上端辺が地盤高さＧＬよりも上で基礎Ｂ等に固定されている。
なお、地盤強化体１１を横断する際に、第一の遮水膜２０にシワが多く発生する場合は、地盤強化体１１の隅部Ｃ近傍で余分な部分を切除してシワをなくしてもよい。
この第一の遮水膜２０の切除した部分は、後述する第三の遮水膜４０で覆うこととなる。
第二の遮水膜３０は、上側が開口する袋状に形成されており、中央部が排水ピット１５の下方で地盤強化体１１´内部を横断し、周辺部が地盤強化体１１の内側面に沿って立ち上がっており、上方では第一の遮水膜２０の内側面に重なり合って、上端辺が第一の遮水膜２０とともに地盤高さＧＬよりも上で基礎Ｂ等に固定されている。
【００２１】
第三の遮水膜４０は、図３に示すように、地盤強化体１１を途中高さ位置Ｐ４で厚さ方向に横断する第一の遮水膜２０の横断部２１の上面を覆う横断部４１と、高さ位置Ｐ５で第二の遮水膜３０とともに立上る第一の遮水膜２０の外側面を覆う立上部４２とから構成されており、立上部４２の上端辺が地盤高さＧＬよりも上で基礎Ｂ等に固定されている。
また、第三の遮水膜４０の横断部４１は平面視略Ｌ型形状となっており、地盤強化体１１の各隅部Ｃ，Ｃ・・・近傍とその周辺を覆っている第一の遮水膜２０の横断部２１の上面を覆うようになっている。また、地盤強化体１１の隅部Ｃ近傍で第一の遮水膜２０の余分な部分を切除して配置した場合は、第三の遮水膜４０でその切除部分を覆うことができるので、切除部分からの水の浸入を確実に防止することができる。
また、第三の遮水膜４０の立上部４２は、横断部４１の内側に形成されており、地盤高さＧＬよりも上で基礎Ｂ等に固定されるようにその上端部が上方に立ち上がっている。
したがって、第一の遮水膜２０を地盤強化体１１を横断させて配置する場合に各隅部Ｃ，Ｃ・・・で生じるシワや折れによる、あるいは、当該部分を切除したことによる切除部からの水の浸入路を覆うことができるので、地盤強化体１１への水の浸入を確実に防止することができる。
なお、水抜穴ｈは、地盤強化体１１の下側に位置する部分の第一の遮水膜２０に設けている。このため、仮に第一の遮水膜２０を通過して地盤強化体１１に水が浸入したとしても、水は地盤強化体１１の内部を外側から内側へと横断する間にこの水抜穴ｈから下方の地盤へ抜けてしまうようになっている。
【００２２】
このように、第一の遮水膜２０、第二の遮水膜３０による二重の防水処置を施しつつ、第三の遮水膜で第一の遮水膜に生じたシワや切除部を覆った防水処置を施すので、周囲の地盤Ｇ中の水は、基本的に図２中の実線矢印で示すように、外側に配置された第一の遮水膜２０で早期にブロックされ、また、各隅部Ｃ，Ｃ・・・では、第三の遮水膜４０で早期にブロックされてその外側面に沿って下方に流れていき、万一外側の第一の遮水膜２０又は第三の遮水膜４０が破れて地盤Ｇ中の水が側方から地盤強化体１１中に浸入してきたとしても、その水は点線矢印で示すように、地盤強化体１１の内側面に沿って配置されている第二の遮水膜３０に阻まれて、水抜穴ｈから下方の地盤Ｇ中に抜けるようになっているから、床下収納空間１０内へは入ってこない。特に、床下収納空間１０が住宅の外周面に近い位置に形成されている場合には、激しい降雨等によって床下収納空間１０の周囲の地盤Ｇ中の水位が一時的に高くなることがあるが、そのような場合であっても第一の遮水膜２０，第二の遮水膜３０，第三の遮水膜４０で、床下収納空間１０への漏水を確実に防止することができる。
【００２３】
なお、第一の遮水膜２０の横断部（Ｐ４からＰ５に至る部分）２１は、内側から外側に向かって徐々に低くなっているので、この上部に水が溜まってしまうことはない。
仮に、第一の遮水膜２０の上端部、第二の遮水膜３０の上端部及び第三の遮水膜４０の上端部が地盤高さＧＬよりも低ければ、降雨等による水がここを乗り越えて床下収納空間１０内に浸入する恐れがあるが、ここでは第一の遮水膜２０の上端部、第二の遮水膜３０の上端部及び第三の遮水膜４０の上端部が地盤高さＧＬよりも高い位置で固定してあるので、このような恐れはない。
【００２４】
さらに、第一の遮水膜２０の横断部２１の上面及び各隅部Ｃ，Ｃ・・・における第三の遮水膜４０の横断部４１の上面には、ゴムや樹脂からなる養生マット２２が重ねて配置してある。これは、第一の遮水膜２０の横断部２１及び第三の遮水膜４０の横断部４１に地盤強化体１１が接したまま上から大きな荷重が作用することによって第一の遮水膜２０の横断部２１及び第三の遮水膜４０の横断部４１が破損してしまうことを防止するためである。同様の理由により、第二の遮水膜３０の底面部（床面１２の下方）３１の上面にも、同様の養生マット３２が重ねて配置してある。
なお、ここでは養生マット２２，３２をそれぞれ横断部２１，４１、底面部３１の上面に重ねて配置したが、横断部２１や底面部３１の下面に重ねて配置してもよいし、養生マット２２を横断部２１の下面と横断部２１，４１の上面に重ねて配置したり、養生マット３２を底面部３１の上下両面に重ねて配置してもよい。
【００２５】
続いて、本発明に係る床下収納空間の施工方法について説明する。
本発明の第一の実施形態に係る床下収納空間の施工方法は、図４〜図６に示すように、地盤を総堀りして掘削を一回で済ませる点が特徴的である。
【００２６】
まず第一工程では、図４（ａ）に示すように、地盤Ｇを掘削して掘削空間Ｘを形成する。具体的には、住宅の基礎Ｂとなる予定位置の下方の平面視環状の地盤ｇ１を掘削することにより掘削空間ｘ１を形成するとともに、地盤ｇ１に周囲側方を囲まれた地盤ｇ２を掘削することにより掘削空間ｘ２を形成する。つまり、床下収納空間１０が形成される地盤部分とこれを取り囲む地盤強化体１１が形成される地盤部分とを総掘りして、掘削空間Ｘを形成する。このとき必要があれば、適宜の土留めを行う。なお、溝状の掘削空間ｘ３は、排水ピット１５の周囲においても地盤強化体１１´の断面を等しく確保するためのものである。
【００２７】
第二工程では、図４（ｂ）に示すように、溝状の掘削空間ｘ３（図４（ａ）参照）に地盤強化体１１ａ´を充填形成することにより、掘削空間Ｘの底面を平坦化する。また、第一工程で形成された掘削空間Ｘの内周側面Ｘａに沿って袋状の第一の遮水膜２０を配置する。なお、ここでは、第一の遮水膜２０の底部を、掘削空間Ｘの底面（地盤強化体１１が形成される予定位置である掘削空間ｘ１の下面と床下収納空間１０が形成される予定位置の掘削空間ｘ２下面）に敷いておく。このとき第一の遮水膜２０の上端部は、掘削空間Ｘ外へ持ち出して保持しておく。また、第一の遮水膜２０の底面３１の所定位置に水抜穴ｈをあける。
次に、掘削空間ｘ１，ｘ２を仕切るように、浮き型枠Ｋを建て込む。浮き型枠Ｋは、堰板Ｋ１と、この堰板Ｋ１を所定高さに保持する保持部Ｋ２とからなる。保持部Ｋ２はターンバックル等で上下に高さ調節可能な構造である。この浮き型枠Ｋを下からすっぽりと覆う格好で袋状の第二の遮水膜３０をセットし、これらを掘削空間Ｘの内部に配置して、掘削空間ｘ１と掘削空間ｘ２とに仕切る。この第二の遮水膜３０の掘削空間Ｘの底面に敷き込まれた部分は底面部３１となる。この底面部３１の上には、養生マット３２を敷き込む。
そして、図４（ｃ）に示すように、第一の遮水膜２０の内側の掘削空間ｘ１に所定高さの地盤強化体１１ａを転圧形成する。また、第二の遮水膜３０の底面部３１上に敷き込んだ養生マット３２上に、適宜の厚さで地盤強化体１１ｂ´を形成する。地盤強化体１１ｂ´には、排水ピット１５を形成する。浮き型枠Ｋ２は埋め殺しとする。第二の遮水膜３０の周辺部は、地盤強化体１１を形成するのに邪魔にならない位置に立ち上げて保持しておく。
【００２８】
第三工程では、図５（ａ）〜（ｃ），図６（ａ）に示すように、基礎Ｂとなる予定位置の下方であって第一の遮水膜２０の内側（掘削空間ｘ１）に平面視連続環状に地盤強化体１１を形成する。また、第四工程では、地盤強化体１１の内側に沿って第二の遮水膜３０を配置する。
つまり、図５（ａ）に示すように、掘削空間ｘ１内に所定高さで地盤強化体１１ｂを積層し転圧形成する。なお、地盤強化体１１ｂの上面は、内側から外側に向かって（第二の遮水膜３０側から第一の遮水膜２０側に向かって）緩やかに低くすることが望ましい。
そして、図５（ｂ）に示すように、第一の遮水膜２０を内側に倒して地盤強化体１１ｂの上面に横断部２１として敷き込み、さらに第二の遮水膜３０の外側面に重ねて立ち上げる。このとき、必要に応じて、第一の遮水膜２０のシワや重なり部を切除することが望ましい。
そして、図５（ｃ）に示すように、第三の遮水膜４０を第一の遮水膜２０の上から地盤強化体１１ｂのそれぞれの隅部Ｃ，Ｃ・・・とその周辺に配置する。このとき、第三の遮水膜４０の横断部４１を第一の遮水膜２０の横断部２１の上に重ねて配置し、さらに、第二の遮水膜３０の外側面に重ねて立ち上げられている第一の遮水膜２０の外側面に重ねて第三の遮水膜４０の立上部４２を配置する。また、第一の遮水膜２０の横断部２１及び各隅部Ｃ，Ｃ・・・とその周辺における第三の遮水膜４０の横断部４１の上に養生マット２２を敷き込む。
さらに、図６（ａ）に示すように、第一の遮水膜２０の横断部２１及び第三の遮水膜４０の横断部４１の上の養生マット２２の上に積層するように、掘削空間ｘ１に所定高さで地盤強化体１１ｃを形成する。
以上のようにして、基礎Ｂとなる予定位置の下方であって第一の遮水膜２０の内側（掘削空間ｘ１）に平面視連続環状に地盤強化体１１を形成すると同時に、地盤強化体１１の内側面に沿って第二の遮水膜３０を配置し、地盤強化体１１の各隅部Ｃ，Ｃ・・・とその周辺に第一の遮水膜２０の上から第三の遮水膜４０を配置する。
【００２９】
最後に、図６（ｂ）に示すように、地盤強化体１１ｃの上に基礎Ｂを構築する。第一の遮水膜２０，第二の遮水膜３０及び第三の遮水膜４０は、基礎Ｂと型枠Ｋとの間で立ち上げ、これらの上端は地盤高さＧＬよりも上の位置で基礎Ｂ等に留め付ける。そして、図６（ｃ）に示すように、型枠Ｋを解体して、図示しない一階の床躯体Ｆを構築するとともに、展示台１６を形成し、掘削空間ｘ２の内周面にモルタル、化粧ボード、メッシュシート等を用いて仕上を施して床面１２、壁面１３、天井面１４等を形成することにより、床下収納空間１０を完成させる。
【００３０】
かかる床下収納空間の施工方法によれば、掘削が一回で済むので、施工が容易である。
また、浮き型枠Ｋを用いるので、地盤強化体１１，１１´を同時に施工可能となる。
また、第一の遮水膜２０を掘削空間Ｘの内周側面Ｘａに配置した後で地盤強化体１１を形成するので、第一の遮水膜２０を地盤強化体１１の外側面に留め付ける手間が不要である。
なお、ここでは、第三工程と第四工程を並行して行ったが、第四工程を第三工程の後に行うようにしてもよい。
【００３１】
次に、本発明の第二の実施形態に係る床下収納空間を説明する。
本実施形態の床下収納空間１０ａは、図７に示すように、第三の遮水膜４０ａが、第一の遮水膜２０の横断部２１の全周の上面を覆いつつ第二の遮水膜３０とともに立ちあがる第一の遮水膜２０の外側面全面を覆う点で第一の実施形態と異なる。
【００３２】
第三の遮水膜４０ａは、地盤強化体１１を途中高さ位置Ｐ４で厚さ方向に横断する第一の遮水膜２０の横断部２１の全周の上面を覆う横断部４１ａと、高さ位置Ｐ５で第二の遮水膜３０とともに立上る第一の遮水膜２０の外側面の全面を覆う立上部４２ａとから構成されており、横断部４１ａの内側周辺に立上部４２ａを設けて連続環状となるように形成され、立上部４２ａの上端辺が地盤高さＧＬよりも上で基礎Ｂ等に固定されている。
これにより、第一の遮水膜２０の横断部２１や第二の遮水膜３０とともに立ち上がる部分の全周の表面等のシワや折れを納めるために部分的に切除し、地盤強化体１１への水の浸入路が形成されたとしても、第三の遮水膜４０ａにより、地盤強化体１１内への水の浸入を確実に防止することができる。
【００３３】
続いて、本発明の第二の実施形態に係る床下収納空間の施工方法について説明する。
まず、図４（ａ）〜（ｃ）、図５（ａ），（ｂ）に示すように、第一工程、第二工程、第三工程の初めの一部は、第一の実施形態と同様である。
第三工程において、図５（ｃ）に示すように、内側から外側に向かって緩やかに低く形成された地盤強化体１１の上面及び第二の遮水膜３０の外側面に配置された第一の遮水膜２０に、第三の遮水膜４０ａを配置する。このとき、第三の遮水膜４０ａの横断部４１ａを第一の遮水膜２０の横断部２１の全周の表面の上に重ねて配置し、第二の遮水膜３０の外側面に重ねて立ち上げた第一の遮水膜２０の外側面の全面と重なるように第三の遮水膜４０ａの立上部４２ａを配置する。
その後の第三工程及び第四工程は、第一の実施形態と同様に行う。
【００３４】
次に、本発明の第三の実施形態に係る床下収納空間を説明する。
本実施形態の床下収納空間１０ｂは、図８に示すように、第三の遮水膜４０ｂが第一の遮水膜２０の上端部を覆いつつ、第二の遮水膜３０の上端部を覆って立ち上がるように配置されている点で第二の実施形態と異なる。
【００３５】
第一の遮水膜２０は、全体として袋状であって、底部が地盤強化体１１の下面に沿って外側下端辺Ｐ３に至り、周辺部がそこから地盤強化体１１の外側面に沿って途中高さ位置Ｐ４（図２参照）よりもやや下側に上端部が位置するように配置されている。
第二の遮水膜３０は、中央部が排水ピット１５の下方で地盤強化体１１´内部を横断し、周辺部が地盤強化体１１の内側面に沿って立ち上がっており、その上端部は、高さ位置Ｐ５よりも上側で基礎Ｂよりも下側となるように位置させている。
第三の遮水膜４０ｂは、地盤強化体１１を途中高さ位置Ｐ４で厚さ方向に略水平に横断する横断部４１ｂと、高さ位置Ｐ５よりも上方に延出する第二の遮水膜３０の外側面の全面を覆う立上部４２ｂと、地盤強化体１１の外側面に沿って配置されている第一の遮水膜２０の上端部の外側面を覆う立下部４３ｂとから構成されており、横断部４１ｂと立上部４２ｂと立下部４３ｂとが連続環状となるように一体で形成され、立上部４２ｂの上端辺が地盤高さＧＬよりも上で基礎Ｂ等に固定されている。
【００３６】
これにより、第一の遮水膜２０を小さく形成することができるので、地盤強化体１１の途中高さ位置Ｐ４で厚さ方向に略水平に形成される表面（Ｐ４からＰ５に至る部分）を覆う必要がなくなり、この部分でシワや折れを生じさせることがなく、つまり、当外部分を切除することなく容易に第一の遮水膜２０を地盤強化体１１の外側面に配置することができる。
また、第二の遮水膜３０の上端部を、高さ位置Ｐ５よりも上側で基礎Ｂよりも下側となるように位置させているので、第二の遮水膜３０を小さく形成することができ、容易に地盤強化体１１の内側面に配置することができる。
また、第三の遮水膜４０ｂの立下部４３ｂが第一の遮水膜２０の上端部の外側面の全面を覆い、立上部４２ｂが第二の遮水膜３０の上端部の外側面の全面を覆い、横断部４１ｂが地盤強化体１１の途中高さ位置Ｐ４で厚さ方向に略水平に横断するので、地盤Ｇからの地盤強化体１１内への水の浸入を確実に防止することができる。
【００３７】
続いて、本発明の第三の実施形態に係る床下収納空間の施工方法について説明する。
まず、図４（ａ）に示すように、第一工程は第一の実施形態と同様に行う。
なお、掘削空間Ｘ（図４（ａ）参照）を設けた後、図８に示すように、地盤Ｇに設けた掘削空間Ｘの外縁周部を余掘りして余掘り空間Ｙを形成する。
また、第二工程は、第一の実施形態と略同様に行う。ここで、第一の遮水膜２０は、その底部を掘削空間Ｘの底面に敷いておき、上端部を途中高さ位置Ｐ４（図２参照）よりもやや下側で余掘り空間Ｙ内に位置するように配置する。また、第二の遮水膜３０は、浮き型枠Ｋを下からすっぽりと覆う格好でセットされ、高さ位置Ｐ５よりも上側で基礎Ｂよりも下側となるように掘削空間Ｘに配置される。
第三工程においても第一の実施形態と略同様に行われる。
ここで、第三の遮水膜４０ｂは、その立下部４３ｂで第一の遮水膜２０の上端部の外側面を覆い、横断部４１ａで地盤強化体１１の途中高さＰ４からＰ５を横断し、立上部４２ｂで第二の遮水膜３０の上端部の外側面を覆うように配置される。
その後の第三工程及び第四工程は、第一の実施形態と同様に行う。
【００３８】
以上、本発明に係る床下収納空間の実施形態について説明してきたが、本発明はこれに限定されるものではなく、発明の趣旨に沿う適宜の変更実施が可能であることは言うまでもない。
例えば、地盤強化体の平面視における形状は、矩形形状に限らず、三角形、五角形、六角形等、多角形の形状で連続環状となるように形成されてもよい。また、多角形の形状以外に、平面視で円形や楕円形、曲率の異なる複数の曲線を組み合わせた形状や、出隅部と入隅部とが混在した形状等に形成してもよい。
また、地盤強化体の形成方法は、地盤強化体を形成するために掘削される地盤部分ｇ１と床下収納空間を形成するために掘削される地盤部分ｇ２とを一回で掘削する総掘りを行ったが、図９（ａ）に示すように、地盤部分ｇ２を残して地盤部分ｇ１を先に掘削（溝堀り）して、その溝孔の外側面に第一の遮水膜２０を配置し、溝孔に地盤強化体を充填して転圧形成した後に地盤部分ｇ２を掘削して地盤強化体１１の内側面に第二の遮水膜を配置してもよい。
さらに、図９（ｂ）に示すように、地盤部分ｇ１を周方向に互い違いに第一の溝孔群ｇ１１、第二の溝孔群ｇ１２に分け、まず、第一の溝孔群ｇ１１だけを先行して掘削（壺掘り）してそこに地盤強化体１１を形成し、その後、第二の溝孔群ｇ１２を掘削（壺掘り）してそこに地盤強化体１１を形成し、その後に、第一の溝孔群ｇ１１と第二の溝孔群ｇ１２とに周囲側方を囲まれた地盤部分ｇ２を掘削してもよい。
【図面の簡単な説明】
【００３９】
【図１】本発明の第一の実施形態に係る床下収納空間の一例を示す斜視図である。
【図２】図１の縦断面図である。
【図３】第三の遮水膜を配置する一例を示す模式図である。
【図４】本発明の第一の実施形態に係る床下収納空間の施工方法を表す断面図である。
【図５】図４に続く工程を表す断面図である。
【図６】図５に続く工程を表す断面図である。
【図７】本発明の第二の実施形態に係る床下収納空間に用いる第三の遮水膜を配置する一例を示す模式図である。
【図８】本発明の第三の実施形態に係る床下収納空間に用いる第三の遮水膜を配置する一例を示す模式図である。
【図９】（ａ），（ｂ）はそれぞれ、地盤強化体１１を形成する方法を表す模式図である。
【符号の説明】
【００４０】
１０    床下収納空間
１１    地盤強化体
２０    第一の遮水膜
３０    第二の遮水膜
４０    第三の遮水膜
４１    横断部
４２    立上部
４３    立下部
Ｃ      隅部
【図１】
2005232825.tif 000003
【図２】
2005232825.tif 000004
【図３】
2005232825.tif 000005
【図４】
2005232825.tif 000006
【図５】
2005232825.tif 000007
【図６】
2005232825.tif 000008
【図７】
2005232825.tif 000009
【図８】
2005232825.tif 000010
【図９】
2005232825.tif 000011